(57)【要約】【課題】  不燃性又は難燃性の木材となる樹木を生育する方法の提供。【解決手段】  生きている樹木１の幹外周面５には、地面３に近い下端部に複数の穴１ａ，１ａ・・・、１ｂ，１ｂ・・・を中心軸に向いて傾斜して設け、この穴には不燃剤８を注入し、穴１ａに満ちた不燃剤８は幹４に形成している複数の導管に沿って吸上げられることで、幹４のほぼ全域に行きわたらせる。【選択図】    図１
2018038350.tif 000002
【特許請求の範囲】
【請求項１】
不燃性又は難燃性の木材を製作する方法において、生きている樹木の幹外周面には、地面に近い下端部に複数の穴を中心軸に向いて傾斜して設け、この穴には不燃剤又は難燃剤を注入し、穴に満ちた不燃剤又は難燃剤は幹に形成している複数の導管に沿って吸上げられることで、幹のほぼ全域に行きわたらせることを特徴とする難燃性木材の生育方法。
【請求項２】
上記不燃剤又は難燃剤をビンに詰め、このビンの口を穴に差し込んで注入するようにした請求項１記載の難燃性木材の生育方法。
【請求項３】
上記穴を一定ピッチで設け、幹の外周面に一定ピッチで設けた請求項１、又は請求項２記載の難燃性木材の生育方法。
【発明の詳細な説明】
【技術分野】
【０００１】
本発明は山に生えている立木の段階で難燃性の木材を生育する方法に関するものである。
【背景技術】
【０００２】
木材は日本の住宅を建てる場合の主な材料であり、住宅の骨組みとなる柱や梁はもちろんのこと、床材並びに天井材も木製としている。また、住宅内に備えられる各種家具（例えばタンス、テーブル、机など）にしても木製が殆どである。木材は軽くて扱い易く、また加工し易いという特性を持っている。
更に、木材は断熱性、遮音性、電気絶縁性が優れ、調湿作用を併せもっているので、特に、日本の建築材料として不可欠である。
【０００３】
一方、住宅が建てられる地盤は水分の多い畑地や水田を整地したものも多く、また、台所やトイレ等の水まわりのように、長期間に亘り多湿状態を保たれていると、木材は腐敗したり、カビが発生する。
また、白蟻等の食害に逢い住宅の強度低下をもたらすことも多い。更には、木材は燃え易いので住宅に用いると火災に弱い等の課題はある。
【０００４】
特開平８−２０７０１６号に係る「シリカ含浸木材及び製造方法」は、 強度が高く、防腐、防虫、防蟻、防カビ性及び難燃性のある建築木材を対象としている。そこで、乾燥した木材が接合しないように介物を挟んでひもで結び、含浸室内に入れて密封する。コックを操作して含浸室内を減圧して木材の木材組織の空洞内を減圧する。
次に、減圧された含浸室内の木材に容器内の含浸溶液（シリカ微粒子のコロイド溶液にホウ素化合物を混合したコロイド溶液）を浸してから含浸室を常圧に戻して木材組織内に含浸液を含浸する。その後、木材を取り出し６０℃以下で乾燥する。
【０００５】
ところで、木材を含浸室に収容し、含浸溶液であるシリカ微粒子のコロイド溶液にホウ素化合物を混合したコロイド溶液を木材組織の空洞内に含浸することが出来る。したがって、不燃性で、防腐性、防虫性、防蟻性、防カビ性を備えた木材を作ることが可能となる。
しかし、このような従来方法では大きな含浸室が必要であり、また含浸するにはそれなりの時間がかかる。
【０００６】
特開２００１−３０３０６０号に係る「難燃剤及びその難燃剤を含浸させた建築用木質部材」は、木質部材に不燃剤或いは難燃剤を含浸させることにより、火災に対して有効な不燃化或いは難燃化の建築用木質部材を得ることであり、また上記不燃剤、難燃剤として発煙を抑え、残炎を少なくし、且つ有害物質の発生を無くした薬剤である。
すなわち、リン酸と尿素の縮合物の水溶液をアンモニア水にてｐＨを調整し、硼酸アンモニウム、スルファミン酸アンモニウムを加えて構成している。
【０００７】
特開２００４−１０６２９４号に係る「難燃剤及びその難燃剤を含浸させた建築用木質部材」は、火災に際しての発煙を抑え、残炎を極めて少なくし、かつ有害物質の発生をなくした不燃化或いは難燃化の建築用木質部材を得ることのできる不燃剤或いは難燃剤を含浸・塗布した建築用木質部材である。
すなわち、火災に対して有効な不燃化或いは難燃化の建築用木質部材を実現するために、シラスの上澄み液にホウ酸および硼砂を加えた難燃剤を作製し、それを木材に加圧注入させる。
【０００８】
【特許文献１】特開平８−２０７０１６号に係る「シリカ含浸木材及び製造方法」
【特許文献２】特開２００１−３０３０６０号に係る「難燃剤及びその難燃剤を含浸させた建築用木質部材」
【特許文献３】特開２００４−１０６２９４号に係る「難燃剤及びその難燃剤を含浸させた建築用木質部材」
【発明の開示】
【発明が解決しようとする課題】
【０００９】
このように、木材を不燃化する為にはホウ酸などの難燃剤を木材に含浸して製作される。そこで、含浸する為の設備が必要と成り、処理された不燃材のコストは必然的に高くなる。
本発明が解決しようとする課題はこの問題点であり、特別な設備を必要とすることなく立樹の状態で難燃剤又は不燃剤を含浸することが出来る方法を提供する。
【課題を解決するための手段】
【００１０】
本発明に係る難燃性木材の生育方法は、山に生きている立樹の段階で不燃剤又は難燃剤を含浸する。そこで、立樹の根元部外周に細い穴を中心軸に向いて設け、この穴に上記不燃剤又は難燃剤を注入する。樹木は生きている為に根から吸上げた水や養分とともに注入した不燃剤又は難燃剤を吸上げることが出来る。
根から吸い上げられた水は、道管と呼ばれる管を通って幹を上がる。道管は死んだ細胞が縦長につながって空洞になった細い管で、地中の根から葉まで何１０ｍも繋がっている。
【００１１】
道管の中は水で満たされて、細い水柱になっていて、このような状態ではとても強い凝集力が働くので、葉の蒸散で上の方の水を引っ張れば、糸を引くように何１０ｍもの水柱を上に引っ張り上げることが出来る。
ところで、上記穴は樹木外周に一定間隔で複数個所に設けられ、しかし、同じ高さに穴を細かく設けたのでは、樹木の強度が低下して倒れてしまう虞がある為に、高さ方向の位置も変えて設けている。
注入方法は、不燃剤又は難燃剤をビンなどの容器に入れ、このビンの口を穴に差し込んで注入することが出来るが、該ビンの口が下方になるように傾斜してセットされる。
【発明の効果】
【００１２】
このように、ビンなどの容器に不燃剤又は難燃剤を入れ、これを樹木の下端部外周に設けた穴に差し込むことで、不燃剤又は難燃剤は穴に注入され、穴に注入された不燃剤又は難燃剤は道管を通って上方へ吸上げられる。その結果、樹木の幹のほぼ全体に不燃剤又は難燃剤が浸透することが出来る。
【００１３】
上記穴は幹の下端部に等間隔で複数個設けられ、樹木に備わっている自然な力によって不燃剤又は難燃剤が根から吸上げられる水分及び養分と共に上方へ吸上げられ、特別な設備を要することなく不燃性樹木又は難燃性樹木を低コストで作ることが可能となる。
不燃剤又は難燃剤を吸上げた樹木は一般の樹木と同じように伐採されて、角材や板材に製材され、住宅の木材として使用される。
【図面の簡単な説明】
【００１４】
【図１】樹木の幹下端部に複数の穴を設けた場合。
【図２】幹の設けた穴に不燃材を入れたビンの口を嵌めて取付けている場合。
【発明を実施するための形態】
【００１５】
図１は本発明に係る難燃性木材の生育方法を示す実施例であり、樹木１の下端部には複数の穴２ａ，２ａ・・・、２ｂ，２ｂ・・・を設けている。これら穴２ａ，２ａ・・・、２ｂ，２ｂ・・・は地面３に近い幹４の下端部に設けられ、上記穴２ａ，２ａ・・・は地面３からの高さＡの位置とし、その間隔（ピッチ）はａと成っている。また穴２ｂ，２ｂ・・・は地面からの高さＢの位置とし、その間隔（ピッチ）はｂと成っている。
【００１６】
すなわち、穴２ａ，２ａ・・・は幹４の外周面５に沿って、ピッチａをもって全周に亘って設けられ、穴２ｂ，２ｂ・・・は幹４の外周面５に沿って、ピッチｂをもって全周に亘って設けられる。そして、これら各穴２ａ，２ａ・・・、２ｂ，２ｂ・・・は下方へ傾斜すると共に幹４の中心軸に向いて延びている。
ここで、該穴２ａ，２ａ・・・、２ｂ，２ｂ・・・の大きさ、並びに個数に関しては特に限定せず、幹４の太さに応じて定めることが出来る。
【００１７】
ところで、これら各穴２ａ，２ａ・・・、２ｂ，２ｂ・・・には不燃剤又は難燃剤が注入され、注入された不燃剤又は難燃剤は幹４に形成されている無数の道管に沿って上方へ吸上げられる。
図２は上記穴２ａに不燃剤８を詰めたビン６の口７を差し込んで取付けた状態を表している。ビン６はその口７が下方になるように穴２ａは中心軸側へ傾斜している。
【００１８】
そこで、ビン６に収容されている不燃剤８は口７から流れ出し、穴２ａは該不燃剤８で一杯になる。幹４には無数の道管が連続して延びており、その為に穴２ａに満たされた不燃剤８は道管を通って上方へ吸上げられ、幹４のほぼ全域に不燃剤８が行きわたる。
ビン６の不燃剤８が空になると、傾斜した穴２ａに注入された不燃剤８は中心軸部のみとなって幹４の外周部には不燃剤８が無い状態となる。したがって、幹４の外周部に不燃剤８が浸透しないことになる為に、このような事態を招かないようにビン６が空にならないように注意しなくてはならない。
【００１９】
上記穴２ａ，２ａ・・・は一定ピッチａにて幹４の全周に設けられ、同じく穴２ｂ，２ｂ・・・も一定ピッチｂにて幹４の全周に設けられている。
ここで、上記穴２ａと穴２ｂとの位置関係は同じではなく、半ピッチ分ズラしていて、穴２ａ，２ａの中間位置に穴２ｂを設けている。すなわち、同じ道管上に穴２ａと穴２ｂが位置しないようにしており、円周方向に１／２ピッチ位置ズレすることで、より多くの穴２ａ，２ａ・・・、２ｂ，２ｂ・・・を設けることが可能となる。
【００２０】
勿論、同じ高さに穴２ａ，２ａ・・・と穴２ｂ，２ｂ・・・を設けるならば、幹４の強度が低下して、強い風が吹いた際には倒れる可能性が高くなる。
ここで、本発明にて使用される上記不燃剤又は難燃剤とし、その種類に関しては限定しないが、一般的にはホウ酸が適している。該ホウ酸を適度な濃度に溶かした液をビン６に詰めて使用することが出来る。
【００２１】
ところで、上記実施例では穴２ａに不燃剤８を入れたビン６の口７を差し込んでいるが、必ずしもビン６に限定するものではなく、他の容器を使用することも出来る。また、ビンなどの容器を用いることなく穴２ａに不燃剤を流し込むことも可能である。
【符号の説明】
【００２２】
１   樹木
２   穴
３   地面
４   幹
５   外周面
６   ビン
７   口
８   不燃剤
【図１】
2018038350.tif 000003
【図２】
2018038350.tif 000004